(57)【要約】【課題】立体感がありながら、顔或いは頭を小さく見せる外観の自然なかつらを提供する。【解決手段】かつらベース１１に人毛又は人工毛からなる毛髪（不図示）が植毛されてなるかつら１０において、かつらベース１１のうち少なくとも人の側頭部又は後頭部に対応する部位１１ａ，１１ｂに位置し、周囲の毛髪と異なる色を含む毛髪が線状に連続的に植毛された複数本のスライシング部１２と、かつらベース１１のうち少なくとも人の前頭部又は頭頂部に対応する部位１１ｃ，１１ｄに位置し、周囲の毛髪と異なる色を含む複数の毛髪からなる異色部１３ａが一方向に断続的に植毛された複数のウィービング部１３とを有する構成とする。【選択図】図１Ａ
2007314915.tif 000002
【特許請求の範囲】
【請求項１】
かつらベースに人毛又は人工毛からなる毛髪が植毛されてなるかつらにおいて、
前記かつらベースのうち少なくとも人の側頭部又は後頭部に対応する部位に位置し、周囲の毛髪と異なる色を含む毛髪が線状に連続的に植毛された複数本のスライシング部と、
前記かつらベースのうち少なくとも人の前頭部又は頭頂部に対応する部位に位置し、周囲の毛髪と異なる色を含む複数の毛髪からなる異色部が一方向に断続的に植毛された複数のウィービング部と
を有することを特徴とするかつら。
【請求項２】
前記複数本のスライシング部は、少なくとも前記側頭部及び前記後頭部に対応する部位に位置することを特徴とする請求項１記載のかつら。
【請求項３】
前記複数のウィービング部は、少なくとも前記前頭部及び前記頭頂部に対応する部位に位置することを特徴とする請求項１又は請求項２記載のかつら。
【請求項４】
前記複数本のスライシング部及び前記複数のウィービング部の少なくとも一方は、それぞれ水平方向から傾斜して位置することを特徴とする請求項１から請求項３のいずれか１項記載のかつら。
【請求項５】
前記複数のウィービング部のうち少なくとも１つのウィービング部は、前記複数のスライシング部間に位置することを特徴とする請求項１から請求項４のいずれか１項記載のかつら。
【請求項６】
前記複数のウィービング部は、それぞれ前記異色部が略三角形状を呈することを特徴とする請求項１から請求項５のいずれか１項記載のかつら。
【請求項７】
前記ウィービング部の略三角形状の異色部は、その頂点の１つが毛流れ方向に向かって位置することを特徴とする請求項６記載のかつら。
【請求項８】
前記かつらベースのうち少なくとも人の前頭部に対応する部位に位置し、周囲の毛髪と異なる色を含む複数の毛髪からなる異色部が不規則に植毛されたメッシュ部を更に有することを特徴とする請求項１から請求項７のいずれか１項記載のかつら。
【請求項９】
前記メッシュ部は、前記かつらベースのうち、前記前頭部に対応する部位に加え、少なくとも前記頭頂部に対応する部位にも位置することを特徴とする請求項８記載のかつら。
【請求項１０】
前記メッシュ部は、その異色部が略三角形状、略円形状又は略菱形状を呈することを特徴とする請求項８又は請求項９記載のかつら。
【請求項１１】
前記メッシュ部の略三角形状の異色部は、その頂点の１つが毛流れ方向に向かって位置することを特徴とする請求項１０記載のかつら。
【請求項１２】
かつらベースに人毛又は人工毛からなる毛髪を植毛するかつらの製造方法において、
前記かつらベースのうち少なくとも人の側頭部又は後頭部に対応する部位に、周囲に植毛される毛髪と異なる色を含む毛髪が線状に連続的に植毛された複数本のスライシング部を、
前記かつらベースのうち少なくとも人の前頭部又は頭頂部に対応する部位に、周囲に植毛される毛髪と異なる色を含む複数の毛髪からなる異色部が一方向に断続的に植毛された複数のウィービング部を、それぞれ形成した後、
前記かつらベース全体に毛髪を植毛することを特徴とするかつらの製造方法。
【請求項１３】
前記かつらベース全体に前記毛髪を植毛する前に、
前記かつらベースのうち少なくとも人の前頭部に対応する部位に、周囲の毛髪と異なる色を含む毛髪からなる異色部が不規則に植毛されたメッシュ部を更に形成することを特徴とする請求項１２記載のかつらの製造方法。
【発明の詳細な説明】
【技術分野】
【０００１】
本発明は、外観の自然なかつら及びその製造方法に関する。
【背景技術】
【０００２】
従来より、かつらは、自毛の薄くなった者或いはおしゃれをしようとする者に装着されるものであり、あたかも実際の頭髪であるかのような自然な外観が求められる。そのため、かつら（髪飾り具）の外観を自然なものとするべく、それぞれ色の異なる複数本の毛束を所定の間隔で配置し、これら毛束を交差させ、その交差させた部分等を接着剤により固着してなる構成が提案されている（例えば、特許文献１参照）。
【０００３】
ところで、髪を染色する（或いは脱色する）技術は、美容院等で広く行われており、毛髪を線状に連続的に取り分け染色するスライシング、毛髪を一方向に断続的に取り分け染色するウィービング、毛髪を不規則に取り分け染色するメッシュ等の手法が知られている。
【特許文献１】特公平０４−００５７６５号公報
【発明の開示】
【発明が解決しようとする課題】
【０００４】
しかしながら、上記特許文献１の技術は、接着剤を用いる構成であるため、容易に髪型を変更することができない。また、毛束を交差させる構成であるため、外観が派手であり、一般的なかつら装着者に好まれるものとはいえなかった。
【０００５】
また、上記の美容院等で行われるスライシング、ウィービング等をかつらに適用した場合、それなりのおしゃれを楽しむことはできるが、それによってかつらの外観を自然にすることができるというほどのものではなかった。
なお、かつらの外観を自然に見せるための要素として立体感が挙げられるが、この立体感を追求して例えば上記のスライシング、ウィービング等の技術をかつらに適用しても、顔或いは頭が大きく見えてしまい、外観が自然なものとはいえない。
【０００６】
本発明の課題は、上記従来の実情に鑑み、外観の自然なかつらを提供することである。
【課題を解決するための手段】
【０００７】
上記課題を解決するために、本発明のかつらは、かつらベースに人毛又は人工毛からなる毛髪が植毛されてなるかつらにおいて、上記かつらベースのうち少なくとも人の側頭部又は後頭部に対応する部位に位置し、周囲の毛髪と異なる色を含む毛髪が線状に（例えば、直線状に、曲線状に、又は、細長い長方形状に）連続的に植毛された複数本のスライシング部と、上記かつらベースのうち少なくとも人の前頭部又は頭頂部に対応する部位に位置し、周囲の毛髪と異なる色を含む複数の毛髪からなる異色部が一方向に（例えば、直線方向に、又は、曲線方向に）断続的に植毛された複数のウィービング部とを有する構成とする。
【０００８】
上記構成によれば、少なくとも側頭部又は後頭部に位置するスライシング部が主に立体感を与え、少なくとも前頭部又は頭頂部に位置するウィービング部が主に顔の引き締め効果により顔或いは頭を小さく見せる。
【０００９】
好ましくは、上記複数本のスライシング部は、少なくとも上記側頭部及び上記後頭部に対応する部位に位置する構成とする。
好ましくは、上記複数のウィービング部は、少なくとも上記前頭部及び上記頭頂部に対応する部位に位置する構成とする。
【００１０】
好ましくは、上記複数本のスライシング部及び上記複数のウィービング部の少なくとも一方は、それぞれ水平方向から傾斜して位置する構成とする。
好ましくは、上記複数のウィービング部のうち少なくとも１つのウィービング部は、上記複数のスライシング部間に位置する構成とする。
【００１１】
好ましくは、上記複数のウィービング部は、それぞれ上記異色部が略三角形状を呈する構成とする。
好ましくは、上記ウィービング部の略三角形状の異色部は、その頂点の１つが毛流れ方向に向かって位置する構成とする。
【００１２】
好ましくは、上記かつらベースのうち少なくとも人の前頭部に対応する部位に位置し、周囲の毛髪と異なる色を含む複数の毛髪からなる異色部が不規則に植毛されたメッシュ部を更に有する構成とする。
好ましくは、上記メッシュ部は、上記かつらベースのうち、上記前頭部に対応する部位に加え、少なくとも上記頭頂部に対応する部位にも位置する構成とする。
【００１３】
好ましくは、上記メッシュ部は、その異色部が略三角形状、略円形状又は略菱形状を呈する構成とする。
好ましくは、上記メッシュ部の略三角形状の異色部は、その頂点の１つが毛流れ方向に向かって位置する構成とする。
【００１４】
上記課題を解決するために、本発明のかつらの製造方法は、かつらベースに人毛又は人工毛からなる毛髪を植毛するかつらの製造方法において、上記かつらベースのうち少なくとも人の側頭部又は後頭部に対応する部位に、周囲に植毛される毛髪と異なる色を含む毛髪が線状に連続的に植毛された複数本のスライシング部を、上記かつらベースのうち少なくとも人の前頭部又は頭頂部に対応する部位に、周囲に植毛される毛髪と異なる色を含む複数の毛髪からなる異色部が一方向に断続的に植毛された複数のウィービング部を、それぞれ形成した後、上記かつらベース全体に毛髪を植毛するようにする。
【００１５】
上記構成によれば、かつらベース全体に毛髪を植毛した後にスライシング部及びウィービング部の毛髪を植毛する或いは染色するという困難な作業を要さないため、スライシング部及びウィービング部を形成する作業が容易になる。
【００１６】
好ましくは、上記かつらベース全体に上記毛髪を植毛する前に、上記かつらベースのうち少なくとも人の前頭部に対応する部位に、周囲の毛髪と異なる色を含む毛髪からなる異色部が不規則に植毛されたメッシュ部を更に形成するようにする。
【発明の効果】
【００１７】
本発明のかつらでは、かつらベースのうち少なくとも人の側頭部又は後頭部に対応する部位に位置するスライシング部と、かつらベースのうち少なくとも人の前頭部又は頭頂部に対応する部位に位置するウィービング部とを有している。これにより、スライシング部が主に立体感を与え、ウィービング部が主に顔の引き締め効果により顔或いは頭を小さく見せる。よって、本発明のかつらによれば、かつらの外観を自然なものにすることができる。
【００１８】
また、本発明のかつらの製造方法では、周囲の毛髪と異なる色を含む毛髪からなる上記スライシング部及びウィービング部を形成した後、かつらベース全体に毛髪を植毛している。そのため、かつらベース全体に毛髪を植毛した後にスライシング部及びウィービング部の毛髪を植毛する或いは染色するという困難な作業を要さないため、スライシング部及びウィービング部を形成する作業が容易になる。よって、本発明のかつらの製造方法によれば、外観の自然なかつらを簡単な作業で製造することができる。
【発明を実施するための最良の形態】
【００１９】
以下、本発明の実施の形態に係るかつら及びその製造方法について、図面を参照しながら説明する。
＜第１実施形態＞
図１Ａは、本発明の第１実施形態に係るかつらを示す左側面図であり、図１Ｂは、その背面図である。なお、かつら１０のかつらベース１１に植毛される毛髪は図示を省略している。
【００２０】
かつら１０は、例えば、網状ベース、人工皮膚、それらの結合等からなるかつらベース１１のうち人の側頭部に対応する部位１１ａ及び後頭部に対応する部位１１ｂに位置する複数本のスライシング部１２と、前頭部に対応する部位１１ｃ及び頭頂部に対応する部位１１ｄに位置する複数のウィービング部１３とを有している。
【００２１】
なお、本実施の形態では便宜上、各部位１１ａ，１１ｂ，１１ｃ，１１ｄは、境界を示す破線（あくまで想像線であって実際に見えるものではない）Ａ，Ｂ，Ｃで区切られた領域とする。また、かつらベース１１の後頭部に対応する部位１１ｂの下方に形成されているのは、周縁部１１ｅ（簡易的に図示）であり、本実施の形態においては、この周縁部１１ｅにスライシング部１２及びウィービング部１３は形成されていない。
【００２２】
スライシング部１２は、周囲の毛髪と異なる色を含む毛髪（その全部又は一部が異なる色）が線状に連続的に植毛されてなる。詳しくは後述するが、スライシング部１２は、ここでは細長い長方形状に形成されている。なお、スライシング部１２は、直線状でなく曲線状に連続して形成されていてもよい。
【００２３】
ウィービング部１３は、周囲の毛髪と異なる色を含む複数の毛髪からなる異色部１３ａが一方向に断続的に植毛されてなる。図１Ａ及び図１Ｂにおいては、異色部１３ａが四角形状に図示されているが、その形状は三角形、菱形等の多角形状や円形状としてもよく、更にはウィービング部１３を破線状に形成するように細い線状に形成してもよい。
【００２４】
スライシング部１２及びウィービング部１３は、それぞれ水平方向（同図における左右方向）から傾斜して位置している。例えば、かつらベース１１のうち後頭部に対応する部位１１ｂにおいては、左半分に位置するスライシング部１２及びウィービング部１３は中央から左側にかけて下降し、右半分に位置するものは中央から右側にかけて下降している。これらの傾斜角度は、好ましくは３０度〜６０度、より好ましくは４０度〜５０度の範囲に設定するとよい。また、毛髪の植毛方向は、毛流れ方向（図１Ａにおける矢印Ｄの先端方向）と直交する方向とすることが望ましい。なお、水平方向から傾斜して位置するのは、スライシング部１２及びウィービング部１３のうち一方であってもよい。また、各スライシング部１２間の間隔Ｌ１及び各ウィービング部１３間の間隔Ｌ２は、好ましくは５ｍｍ〜３０ｍｍ、より好ましくは１０ｍｍ〜２０ｍｍの範囲に設定するとよい。
【００２５】
なお、本実施の形態においては、スライシング部１２をかつらベース１１のうち側頭部及び後頭部に対応する部位１１ａ，１１ｂに形成したが、どちらか一方の部位のみに形成してもよく、他の部位（前頭部１１ｃ或いは頭頂部１１ｄ）に更に形成してもよい。また、ウィービング部１３についても、前頭部及び頭頂部に対応する部位１１ｃ，１１ｄに形成したが、どちらか一方の部位のみに形成してもよく、他の部位に更に形成してもよい。更には、スライシング部１２は、例えば幅の狭い連続した波線状としても実際には長方形状或いは直線状に見えるため、そのような構成としてもよい。
【００２６】
図１Ｃは、上記かつらのスライシング部及びウィービング部の寸法を示す説明図である。なお、同図においてはウィービング部１３の異色部１３ａを略三角形状とした場合の寸法を示している。
【００２７】
同図に示すスライシング部１２の短手方向（同図における上下方向）の長さＬ３は、好ましくは１ｍｍ〜５ｍｍ、より好ましくは２ｍｍ〜３ｍｍと設定するとよい。また、ウィービング部１３の異色部１３ａの高さＬ４（同図における上下方向）及び幅Ｌ５（同図における上下方向）は、好ましくは１ｍｍ〜５ｍｍ、より好ましくは２，３ｍｍと設定するとよい。また、各異色部１３ａを配置する間隔Ｌ６は、５ｍｍ〜１０ｍｍ程度に設定するとよい。
【００２８】
ここで、以上説明したかつら１０を製造する際には、まずかつらベース１１を用意し、このかつらベース１１のうちスライシング部１２及びウィービング部１３に相当する部分に、周囲に植毛される毛髪と異なる色を含む毛髪を植毛し、その後、かつらベース１１全体に毛髪を植毛するようにする。
【００２９】
本実施の形態に係るかつら１０では、かつらベース１１のうち少なくとも人の側頭部又は後頭部に対応する部位１１ａ，１１ｂに位置し、周囲の毛髪と異なる色を含む毛髪が線状に連続的に植毛された複数本のスライシング部１２と、かつらベース１１のうち少なくとも人の前頭部又は頭頂部に対応する部位１１ｃ，１１ｄに位置し、周囲の毛髪と異なる色を含む複数の毛髪からなる異色部１３ａが一方向に断続的に植毛された複数のウィービング部１３とを有している。これにより、スライシング部１２が主に立体感を与え、ウィービング部１３が主に顔の引き締め効果により顔或いは頭を小さく見せる。よって、本実施の形態に係るかつら１０によれば、かつら１０の外観を自然なものにすることができる。
【００３０】
また、本実施の形態に係るかつら１０によれば、スライシング部１２が側頭部及び後頭部に対応する部位１１ａ，１１ｂの両方に位置することにより、主にかつら１０の立体感をより引き出し、かつら１０の外観を一層自然なものにすることができる。
【００３１】
また、本実施の形態に係るかつら１０によれば、ウィービング部１３が前頭部及び頭頂部に対応する部位１１ｃ，１１ｄの両方に位置することにより、主に顔の引き締め効果をより高めて、顔或いは頭を一層小さく見せることができ、かつら１０の外観を一層自然なものにすることができる。
【００３２】
また、本実施の形態に係るかつら１０によれば、スライシング部１２及びウィービング部１３がそれぞれ水平方向から傾斜して位置するため、主に、かつら１０の立体感を引き出すと共に、顔の引き締め効果を高めて顔或いは頭を更に小さく見せることができ、かつら１０の外観をより一層自然なものにすることができる。
【００３３】
また、本実施の形態に係るかつら１０によれば、ウィービング部１３の異色部１３ａが略三角形状を呈するため、異色部１３ａの色の陰影を強調することができ、主に顔の引き締め効果を高めて顔或いは頭を一層小さく見せることができ、かつら１０の外観を一層自然なものにすることができる。更には、ウィービング部１３の異色部１３ａが、略三角形状を呈し、その頂点の１つが毛流れ方向に向かって位置することにより、自然な毛流れを表現することができると共に、毛髪に光が当たる際に毛髪の輝きを引き出して自然な風合い及び自然な質感を表現することができ、かつら１０の外観をより一層自然なものにすることができる。
【００３４】
また、本実施の形態に係るかつらの製造方法では、周囲の毛髪と異なる色を含む毛髪からなる上記のスライシング部１２及びウィービング部１３を形成した後、かつらベース１１全体に毛髪を植毛している。そのため、かつらベース１１全体に毛髪を植毛した後にスライシング部１２及びウィービング部１３の毛髪を植毛する或いは染色するという困難な作業を要さないため、スライシング部１２及びウィービング部１３を形成する作業が容易になる。よって、本実施の形態に係るかつらの製造方法によれば、外観の自然なかつらを、簡単な作業で製造することができる。
【００３５】
＜第１実施形態の第１変形例＞
図２Ａは、本発明の第１実施形態の第１変形例に係るかつらを示す左側面図であり、図２Ｂは、その背面図である。なお、本変形例に係るかつら２０は、スライシング部２２及びウィービング部２３の傾斜角度のみ上記第１実施形態に係るかつら１０と異なるため、同様の符号を付して詳細な説明は省略する。
【００３６】
図２Ａ及び図２Ｂにおいて、スライシング部２２及びウィービング部２３は、それぞれ水平方向（同図における左右方向）から傾斜して位置している。具体的には、かつらベース２１の後頭部に対応する部位２１ｂにおいて、左半分に位置するものは中央から左側にかけて上方に、右半分に位置するものは中央から右側にかけて上方に、傾斜して位置している。これらの傾斜角度は、好ましくは３０度〜６０度、より好ましくは４０度〜５０度の範囲に設定するとよいが、植毛される毛髪の毛流れ方向と直交する方向としてもよい。
【００３７】
本変形例に係るかつら２０によれば、スライシング部２２及びウィービング部２３の配置が上記第１実施形態と異なるかつら２０であっても、上記第１実施形態と同様に、かつら２０の外観を自然なものにすることができる等の効果を奏する。
【００３８】
＜第１実施形態の第２変形例＞
図３Ａは、本発明の第１実施形態の第２変形例に係るかつらを示す左側面図であり、図３Ｂは、その背面図である。なお、本実施の形態に係るかつら３０は、ウィービング部３３がかつらベース３１のうち前頭部及び頭頂部に対応する部位３１ｃ，３１ｄに加え、側頭部及び後頭部に対応する部位３１ａ，３１ｂにも配置される点のみ上記第１実施形態に係るかつら１０と異なるため、同様の符号を付して詳細な説明は省略する。
【００３９】
図３Ａ及び図３Ｂにおいて、ウィービング部３３は、上記のように、かつらベース３１のうち前頭部及び頭頂部に対応する部位３１ｃ，３１ｄに加え、側頭部及び後頭部に対応する部位３１ａ，３１ｂにも位置している。ここで、かつらベース３１のうち側頭部及び後頭部に対応する部位３１ａ，３１ｂにおけるウィービング部３３は、スライシング部３２間に、このスライシング部３２と並行して位置している。これらスライシング部３２とウィービング部３３とのそれぞれの間隔Ｌ９は、好ましくは５ｍｍ〜３０ｍｍ、より好ましくは１０ｍｍ〜２０ｍｍの範囲に設定するとよい。
【００４０】
本変形例に係るかつら３０によれば、ウィービング部３３を、かつらベース３１の側頭部及び後頭部に対応する部位３１ａ，３１ｂにおいて、スライシング部３２間に形成したため、かつら３０に主に自然な立体感を与え、上記第１実施形態に係るかつら１０よりも、かつら３０の外観を一層自然なものにすることができる。
【００４１】
＜第２実施形態＞
図４Ａは、本発明の第２実施形態に係るかつらを示す左側面図であり、図４Ｂは、その背面図である。なお、本実施の形態に係るかつら４０は、かつらベース４１の前頭部に対応する部位４１ｃに、ウィービング部４３に代えてメッシュ部４６を形成した点のみ上記第１実施形態に係るかつら１０と異なるため、同様の符号を付して詳細な説明は省略する。
【００４２】
図４Ａにおいて、かつらベース４１のうち前頭部に対応する部位４１ｃには、周囲の毛髪と異なる色を含む毛髪からなる異色部４６ａが不規則に植毛されたメッシュ部４６が位置している。異色部４６ａは、同図においては略円形状で図示しているが、略三角形状、或いは略四角形状としてもよい。ここで、メッシュ部４６の異色部４６ａとウィービング部４３の異色部４３ａとは、ウィービング部４３の異色部４３ａが規則的に配置されているのに対し、メッシュ部４６の異色部４６ａが不規則に配置されている点で異なり、これによって外観も異なる。
【００４３】
図４Ｃは、上記かつらのメッシュ部の寸法及び配置位置の例を示す説明図である。
同図において、メッシュ部４６の異色部４６ａは略三角形状を呈しており、その高さＬ７（同図における上下方向）及び幅Ｌ８（同図における上下方向）は、好ましくは１ｍｍ〜５ｍｍ、より好ましくは２，３ｍｍと設定するとよい。なお、異色部４６ａ毎の植毛本数、及び、面積当たりの異色部４６ａの密度は、かつら４０に植毛される毛髪の本数、かつら４０の装着者の好み等により適宜設定されればよい。また、同図に示すように、メッシュ部４６の異色部４６ａを略三角形状に形成した場合、その頂点の１つが毛流れ方向（例えば、同図における下方向）に向かって位置するように異色部４６ａを配置するとよい。
【００４４】
ここで、以上説明したかつら４０を製造する際には、まずかつらベース４１を用意し、このかつらベース４１のうちスライシング部４２、ウィービング部４３及びメッシュ部４６に相当する部分に、周囲に植毛される毛髪と異なる色を含む毛髪を植毛し、その後、かつらベース４１全体に毛髪を植毛するようにする。
【００４５】
本実施の形態に係るかつら４０によれば、周囲の毛髪と異なる色を含む毛髪からなる異色部４６ａが不規則に植毛されたメッシュ部４６を、かつらベース４１の前頭部に対応する部位４１ｃに形成したため、上記第１実施形態に係るかつら１０に比べ、更に自然な風合いを醸し出し、かつら４０の外観を一層自然なものにすることができる。
【００４６】
また、本実施の形態に係るかつら４０によれば、メッシュ部４６の異色部４６ａの頂点の１つが毛流れ方向に向かって位置するように異色部４６ａを配置することで、自然な風合いと自然な質感を表現することができ、したがって、かつら４０の外観をより一層自然なものにすることができる。
【００４７】
また、本実施の形態に係るかつらの製造方法では、周囲の毛髪と異なる色を含む毛髪からなる上記のスライシング部４２、ウィービング部４３及びメッシュ部４６を形成した後、かつらベース４１全体に毛髪を植毛している。そのため、かつらベース４１全体に毛髪を植毛した後にスライシング部４２、ウィービング部４３及びメッシュ部４６の毛髪を植毛する或いは染色するという困難な作業を要さないため、スライシング部４２、ウィービング部４３及びメッシュ部４６を形成する作業が容易になる。よって、本実施の形態に係るかつらの製造方法によれば、自然な風合いを呈する外観の自然なかつらを、簡単な作業で製造することができる。
【００４８】
＜第２実施形態の第１変形例＞
図５Ａは、本発明の第２実施形態の第１変形例に係るかつらを示す左側面図であり、図５Ｂは、その背面図である。なお、本実施の形態に係るかつら５０は、ウィービング部５３がかつらベース５１のうち頭頂部に対応する部位５１ｄに加え、側頭部及び後頭部に対応する部位５１ａ，５１ｂにも位置する点のみ上記第２実施形態に係るかつら４０と異なるため、同様の符号を付して詳細な説明は省略する。
【００４９】
図５Ａ及び図５Ｂにおいて、上記のように、ウィービング部５３は、かつらベース５１のうち頭頂部に対応する部位５１ｄに加え、側頭部及び後頭部に対応する部位５１ａ，５１ｂにも位置している。ここで、かつらベース５１のうち側頭部及び後頭部に対応する部位５１ａ，５１ｂにおけるウィービング部５３は、スライシング部５２間に、このスライシング部５２と並行して位置している。
【００５０】
本変形例に係るかつら５０によれば、ウィービング部５３を、かつらベース５１の側頭部及び後頭部に対応する部位５１ａ，５１ｂにおいて、スライシング部５２間に形成したため、かつら５０に主に自然な立体感を与え、上記第２実施形態に係るかつら４０よりも、かつら５０の外観を一層自然なものにすることができる。
【００５１】
＜第２実施形態の第２変形例＞
図６Ａは、本発明の第２実施形態の第２変形例に係るかつらを示す左側面図であり、図６Ｂは、その背面図である。なお、本変形例に係るかつら６０は、メッシュ部６６がかつらベース６１の前頭部に対応する部位６１ｃに加え、頭頂部に対応する部位６１ｄに形成した点のみ上記第２実施形態に係るかつら４０と異なるため、同様の符号を付して詳細な説明は省略する。
【００５２】
図６Ａにおいて、かつらベース６１のうち前頭部及び頭頂部に対応する部位６１ｃ，６１ｄには、周囲の毛髪と異なる色を含む毛髪からなる異色部６６ａが不規則に植毛されたメッシュ部６６が位置している。
【００５３】
本変形例に係るかつら６０によれば、周囲の毛髪と異なる色を含む毛髪からなる異色部６６ａが不規則に植毛されたメッシュ部６６を、かつらベース６１の前頭部及び頭頂部に対応する部位６１ｃ，６１ｄに形成したため、上記第２実施形態に係るかつら４０に比べ、より自然な風合いとなり、かつら６０の外観をより一層自然なものにすることができる。
【００５４】
＜第２実施形態の第３変形例＞
図７Ａは、本発明の第２実施形態の第３変形例に係るかつらを示す左側面図であり、図７Ｂは、その背面図である。なお、本実施の形態に係るかつら７０は、メッシュ部７６がかつらベース７１の前頭部及び頭頂部に対応する部位７１ｃ，７１ｄに位置し、ウィービング部７３は側頭部、後頭部及び頭頂部に対応する部位７１ａ，７１ｂ，７１ｄに位置している。そして、スライシング部７２は、かつらベース７１の側頭部及び後頭部に対応する部位７１ａ，７１ｂに位置している。
【００５５】
図７Ａ及び図７Ｂにおいて、かつらベース７１のうち側頭部及び後頭部に対応する部位７１ａ，７１ｂにおけるウィービング部７３は、スライシング部７２間に、このスライシング部７２と並行して位置している。
【００５６】
本変形例に係るかつら７０によっても、かつら７０に主に自然な立体感を与え、かつら７０の外観を自然なものにすることができる。
【００５７】
以上、説明した第１実施形態、第２実施形態及びそれらの各種変形例においては、かつらを全頭かつら（全体かつら）として説明したが、図８Ａ及び図８Ｂに示すような半頭かつら（部分かつら）８０に、上記第１実施形態、第２実施形態及びそれらの各変形例のようにスライシング部８２、ウィービング部８３等を形成することでも、同様の効果が得られる。なお、図８Ａ及び図８Ｂに示す分け目用人工皮膚８７は、全頭かつらに適用することで、分け目を自然に見せることも可能である。
【図面の簡単な説明】
【００５８】
【図１Ａ】本発明の第１実施形態に係るかつらを示す左側面図である。
【図１Ｂ】上記第１実施形態に係るかつらを示す背面図である。
【図１Ｃ】上記第１実施形態に係るかつらのスライシング部及びウィービング部の寸法を示す説明図である。
【図２Ａ】上記第１実施形態の第１変形例に係るかつらを示す左側面図である。
【図２Ｂ】上記第１実施形態の第１変形例に係るかつらを示す背面図である。
【図３Ａ】上記第１実施形態の第２変形例に係るかつらを示す左側面図である。
【図３Ｂ】上記第１実施形態の第２変形例に係るかつらを示す背面図である。
【図４Ａ】上記第２実施形態に係るかつらを示す左側面図である。
【図４Ｂ】上記第２実施形態に係るかつらを示す背面図である。
【図４Ｃ】上記第２実施形態に係るかつらのメッシュ部の寸法及び配置位置の例を示す説明図である。
【図５Ａ】上記第２実施形態の第１変形例に係るかつらを示す左側面図である。
【図５Ｂ】上記第２実施形態の第１変形例に係るかつらを示す背面図である。
【図６Ａ】上記第２実施形態の第２変形例に係るかつらを示す左側面図である。
【図６Ｂ】上記第２実施形態の第２変形例に係るかつらを示す背面図である。
【図７Ａ】上記第２実施形態の第３変形例に係るかつらを示す左側面図である。
【図７Ｂ】上記第２実施形態の第３変形例に係るかつらを示す背面図である。
【図８Ａ】本発明の実施形態に係る半頭かつらの前方を示す斜視図である。
【図８Ｂ】上記半頭かつらの後方を示す斜視図である。
【符号の説明】
【００５９】
１０      かつら
１１      かつらベース
１１ａ      人の側頭部に対応する部位
１１ｂ      人の後頭部に対応する部位
１１ｃ      人の前頭部に対応する部位
１１ｄ      人の頭頂部に対応する部位
１１ｅ      周縁部
１２      スライシング部
１３      ウィービング部
１３ａ      異色部
４０      かつら
４１      かつらベース
４１ａ      人の側頭部に対応する部位
４１ｂ      人の後頭部に対応する部位
４１ｃ      人の前頭部に対応する部位
４１ｄ      人の頭頂部に対応する部位
４１ｅ      周縁部
４２      スライシング部
４３      ウィービング部
４３ａ      異色部
４６      メッシュ部
４６ａ      異色部
８０      半頭かつら
８１      人工皮膚
８２      スライシング部
８３      ウィービング部
８７      分け目用人工皮膚
【図１Ａ】
2007314915.tif 000003
【図１Ｂ】
2007314915.tif 000004
【図１Ｃ】
2007314915.tif 000005
【図２Ａ】
2007314915.tif 000006
【図２Ｂ】
2007314915.tif 000007
【図３Ａ】
2007314915.tif 000008
【図３Ｂ】
2007314915.tif 000009
【図４Ａ】
2007314915.tif 000010
【図４Ｂ】
2007314915.tif 000011
【図４Ｃ】
2007314915.tif 000012
【図５Ａ】
2007314915.tif 000013
【図５Ｂ】
2007314915.tif 000014
【図６Ａ】
2007314915.tif 000015
【図６Ｂ】
2007314915.tif 000016
【図７Ａ】
2007314915.tif 000017
【図７Ｂ】
2007314915.tif 000018
【図８Ａ】
2007314915.tif 000019
【図８Ｂ】
2007314915.tif 000020